(57)【要約】【課題】ハンドルを回転させることなく、通常閉鎖の扉を開放状態とし、また、通常閉鎖の扉を扉枠に押付状態とすることができる扉の閉鎖機構を提供する。【解決手段】扉枠２に回動自在に支持されたフック部材６と、扉３に回動可能に設けられた係合部材７とから成るラッチ機構４は、扉３の通常閉鎖により係合部材７に備えた係合部７ａがフック部材６と係合するようにしてあり、扉３に設けた押し引きハンドル５を操作することにより前記ラッチ機構４を解除し、また、その押し引きハンドル５の操作により前記ラッチ機構４を介して扉３を扉枠２に押付状態とするようにした。【選択図】　図３
2004019190.tif 000002
【特許請求の範囲】
【請求項１】
扉枠と、その扉枠に開閉自在に蝶着された扉との間に介在されたラッチ機構を、扉に設けた操作手段を操作することにより解除し、また、その操作手段の操作により前記ラッチ機構を介して扉を扉枠に押付状態とする扉の閉鎖機構において、上記操作手段を、扉に設けた押し引きハンドルとしたことを特徴とする扉の閉鎖機構。
【請求項２】
押し引きハンドルは、扉に所定角度揺動するように取り付けてあることを特徴とする請求項１記載の扉の閉鎖機構。
【請求項３】
扉枠にフック部材を回動自在に支持し、そのフック部材の先端が扉側に突出するようにフック部材を付勢し、扉には上記フック部材と係脱する係合部を備えた係合部材を回動可能に設けてラッチ機構を構成し、扉の通常閉鎖により係合部材の係合部がフック部材と係合するようにしたことを特徴とする請求項１または２記載の扉の閉鎖装置。
【請求項４】
フック部材の回動軸線と係合部材の回動軸線とが平行であり、扉にはフック部材を押し出す押し出し部材を備え、押し引きハンドルの操作により上記押し出し部材がフック部材と係合部材との係合を解除して扉を開放可能とし、また、押し引きハンドルの操作で、扉を扉枠に押し付けるように係合部材をフック部材に対して回転移動させるように押し引きハンドルと係合部材とを連繋したことを特徴とする請求項３記載の扉の閉鎖装置。
【請求項５】
扉にフック部材の回動軸線と平行に支持軸を設け、その支持軸に係合部材と押し引きハンドルを取り付けるカム体を揺動自在に支持して、押し引きハンドルを前記支持軸を揺動中心として中立位置とその両側で所定角度揺動した２つの揺動端位置とに揺動するようにし、扉の通常閉鎖時に係止部材とフック部材とが係合している状態において、中立位置にある前記押し引きハンドルを前記一方の揺動端位置としたときには、カム体に設けた動作カムと係合部材とが係合せず押し出し部材がフック部材を押し出し、他方の揺動端位置としたときには、カム体に設けた動作カムと係合部材とが係合して扉を扉枠に押し付けるように係合部材をフック部材に対して回転移動させるように構成したことを特徴とする請求項４記載の扉の閉鎖装置。
【請求項６】
フック部材の回動軸線と係合部材の回動軸線とが直角を成して配置され、その係合部材のフック側面には、フック部材と係脱する係合部と、押し引きハンドルの操作で係合部材が回転した時にフック部材を押し出してフック部材と係合部材との係合を解除する解除部分と、フック部材と係合部との係合状態において押し引きハンドルの操作で係合部材が前記と逆に回転した時に、フック部材を介して扉を扉枠に押し付ける押し付け面とを備えたことを特徴とする請求項３記載の扉の閉鎖装置。
【請求項７】
押し引きハンドルを中立位置とその両側で所定角度揺動した２つの揺動端位置とに揺動するように扉に取り付け、その揺動により係合部材が回転して解除部分がフック部材を押し出す押し出し角度位置と押し付け面がフック部材を介して扉を扉枠に押し付ける押し付け角度位置とに揺動するように連繋してあることを特徴とする請求項６記載の扉の閉鎖装置。
【発明の詳細な説明】
【０００１】
【発明の属する技術分野】
本発明は、扉枠と、その扉枠に開閉自在に蝶着された扉との間に介在されたラッチ機構を、扉に設けた操作手段を操作することにより解除し、また、その操作手段の操作により前記ラッチ機構を介して扉を扉枠に押付状態とする扉の閉鎖機構に関する。
【０００２】
【従来の技術】
上記した扉の閉鎖機構として、特開２００１−１３２３０４号公報のクレモンロック装置が知られている。そのクレモンロック装置は、扉に設置したラッチボルトと固定枠体（扉枠）に設置した受金とから成るラッチ機構を介して、扉を閉鎖位置に錠止（扉の通常閉鎖）することができる。そして、扉が閉鎖位置に錠止された状態において、扉に設けたハンドル（ドアノブ）を解錠方向に回転すると、扉を開放状態とすることができる。また、扉が閉鎖位置に錠止された状態において、前記ハンドルを施錠方向（解錠方向とは逆方向）に回転すると、扉を固定枠体（扉枠）に押付状態とすることができる。
【０００３】
【発明が解決しようとする課題】
上記のクレモンロック装置では、通常閉鎖の扉を開放する場合や、通常閉鎖の扉を扉枠に押付状態とする場合には、扉に設けたハンドルを握って解錠（施錠）方向に回転しなければならない。そのために、ハンドルを回転させることが困難な者（例えば手の不自由な者や握力が低下した老人等）においては、通常閉鎖の扉を開放したり、通常閉鎖の扉を扉枠に押付状態とすることが容易ではない。また、健常者であっても、両手が使えない場合には、ハンドルを握って回転させることが出来ない。そこで、本発明の課題は、ハンドルを回転させることなく、通常閉鎖の扉を開放状態とし、また、通常閉鎖の扉を扉枠に押付状態とすることができる扉の閉鎖機構を提供することにある。
【０００４】
【課題を解決するための手段】
上記課題解決のため、本願では、扉枠と、その扉枠に開閉自在に蝶着された扉との間に介在されたラッチ機構を、扉に設けた操作手段を操作することにより解除し、また、その操作手段の操作により前記ラッチ機構を介して扉を扉枠に押付状態とする扉の閉鎖機構において、上記操作手段を、扉に設けた押し引きハンドルとした。その押し引きハンドルは、扉に所定角度揺動するように取り付けてある。そして、扉枠にフック部材を回動自在に支持し、そのフック部材の先端が扉側に突出するようにフック部材を付勢し、扉には上記フック部材と係脱する係合部を備えた係合部材を回動可能に設けてラッチ機構を構成し、扉の通常閉鎖により係合部材の係合部がフック部材と係合するようにした。
【０００５】
前記フック部材の回動軸線と係合部材の回動軸線とが平行であり、扉にはフック部材を押し出す押し出し部材を備え、押し引きハンドルの操作により上記押し出し部材がフック部材と係合部材との係合を解除して扉を開放可能とし、また、押し引きハンドルの操作で、扉を扉枠に押し付けるように係合部材をフック部材に対して回転移動させるように押し引きハンドルと係合部材とを連繋した。
【０００６】
具体的に、扉にフック部材の回動軸線と平行に支持軸を設け、その支持軸に係合部材と押し引きハンドルを取り付けるカム体を揺動自在に支持して、押し引きハンドルを前記支持軸を揺動中心として中立位置とその両側で所定角度揺動した２つの揺動端位置とに揺動するようにし、扉の通常閉鎖時に係止部材とフック部材とが係合している状態において、中立位置にある前記押し引きハンドルを前記一方の揺動端位置としたときには、カム体に設けた動作カムと係合部材とが係合せず押し出し部材がフック部材を押し出し、他方の揺動端位置としたときには、カム体に設けた動作カムと係合部材とが係合して扉を扉枠に押し付けるように係合部材をフック部材に対して回転移動させるように構成した。
【０００７】
更に、フック部材の回動軸線と係合部材の回動軸線とが直角を成して配置され、その係合部材のフック側面には、フック部材と係脱する係合部と、押し引きハンドルの操作で係合部材が回転した時にフック部材を押し出してフック部材と係合部材との係合を解除する解除部分と、フック部材と係合部との係合状態において押し引きハンドルの操作で係合部材が前記と逆に回転した時に、フック部材を介して扉を扉枠に押し付ける押し付け面とを備えた。前記押し引きハンドルを中立位置とその両側で所定角度揺動した２つの揺動端位置とに揺動するように扉に取り付け、その揺動により係合部材が回転して解除部分がフック部材を押し出す押し出し角度位置と押し付け面がフック部材を介して扉を扉枠に押し付ける押し付け角度位置とに揺動するように連繋した。
【０００８】
【発明の実施の形態】
実施の形態について図面を参照して説明する。図１〜５に示す扉の閉鎖装置１は、扉枠２と、その扉枠２に開閉自在に蝶着された扉３との間に介在されたラッチ機構４を、扉３に設けた押し引きハンドル５を操作することにより解除し、また、その押し引きハンドル５の操作により前記ラッチ機構４を介して扉３を扉枠２に押付状態とするものである。前記ラッチ機構４は、扉３の戸先部分の上下方向中間に設けてあり、扉枠２（竪枠２ａ）に回動自在に支持されたフック部材６と、扉３に回動可能に設けられた係合部材７とから成り、扉３の通常閉鎖（図１の状態）により係合部材７に備えた係合部７ａがフック部材６と係合するようになっている。
【０００９】
竪枠２ａに回動自在に支持されたフック部材６の先端６ａが扉３側に突出し、かつ、扉３の開扉方向にフック部材６はバネ部材８によって付勢されている。扉３に取り付けられたケース下板９ａには、前記フック部材６の回動軸線と平行に支持軸１０が設けられている。その支持軸１０には、フック部材６と係脱する係合部７ａを備えた係合部材７とカム体１１が夫々別々に揺動自在に支持されている。カム体１１に押し引きハンドル５を一体に取り付けたことから、押し引きハンドル５は、支持軸１０を揺動中心として中立位置Ａとその両側で所定角度揺動した２つの揺動端位置Ｂ，Ｃとに揺動する。
【００１０】
前記カム体１１の下部には、２つの突起部１２ａ，１２ｂから成る動作カム１２が設けられている。突起部１２ａ，１２ｂ間に、係合部材７の後部が所定の隙間を持って配置されている。第１突起部１２ａは、押し引きハンドル５が中立位置Ａにある状態（図６）において、通常の係止位置Ｐ１にある係合部材側面７ｂに当接するように形成されている。第２突起部１２ｂは、押し引きハンドル５が一方の揺動端位置（解錠位置）Ｂにある状態（図７）において、通常の係止位置Ｐ１にある係合部材側面７ｃに当接するように形成されている。
【００１１】
押し引きハンドル５を中立位置Ａから一方の揺動端位置Ｂに揺動させた場合では、第１、第２突起部１２ａ，１２ｂにより、通常の係止位置Ｐ１にある係合部材７は回動しない。そして、一方の揺動端位置Ｂから中立位置Ａに揺動させた場合でも、第１、第２突起部１２ａ，１２ｂにより、通常の係止位置Ｐ１にある係合部材７は回動しない。次に、押し引きハンドル５を中立位置Ａから他方の揺動端位置（扉押付位置）Ｃに揺動させた場合では、第１突起部１２ａにより、通常の係止位置Ｐ１にある係合部材側面７ｂが押されて、係合部材７は押付位置Ｐ２へと回動する（図８）。また、押付位置Ｐ２にある係合部材７に対して押し引きハンドル５を他方の揺動端位置Ｃから中立位置Ａに揺動させた場合では、第１、第２突起部１２ａ，１２ｂにより、押付位置Ｐ２にある係合部材７は回動しないが、一方の揺動端位置Ｂまで揺動させた場合では、第２突起部１２ｂにより、係合部材７は回動して通常の係止位置Ｐ１に戻る（図７）。
【００１２】
ケース後板９ｂには、複数のプランジャ１３ａ，１３ｂが取り付けてある。そして、支持軸１０に支持された係合部材７の後面とカム体１１の後面に、前記プランジャ１３ａ，１３ｂが嵌まり込む溝７ｄ，１１ａが形成されている。一方のプランジャ１３ａは、押し引きハンドル５が他方の揺動端位置Ｃに揺動されて、押付位置Ｐ２に回動した係合部材７の溝７ｄに嵌まり込むように配置されている（図８）。もう一方１３ｂは、押し引きハンドル５が中立位置Ａにある状態のカム体１１の溝１１ａに嵌まり込むように配置されている（図３）。また、一方のプランジャ１３ａの押付力は、押付位置Ｐ２に回動した係合部材７をその位置に弾性的に保持するように設定されている。もう一方のプランジャ１３ｂの押付力は、押し引きハンドル５を用いて扉３の開閉を行う時に、中立位置Ａにある押し引きハンドル５が揺動しないように弾性的に保持するように設定されている。
【００１３】
前記ケース上板９ｃには、支持軸１０と平行に第１軸部材１４が設けられている。その第１軸部材１４には、三角形状の作動カム１５が揺動自在に支持されている。作動カム１５には第１長孔１５ａと支持孔１５ｂが形成されており、第１長孔１５ａには、カム体１１の上部に設けた突起部１１ｂが係合している。ケース上板９ｃとケース中間板９ｄとの間には、先端にローラ部材１６ａを備えた押し出し部材１６が配置されており、その押し出し部材１６の後端部には第２軸部材１７が嵌め込まれている。第２軸部材１７の一方の端部は、ケース上板９ｃに設けた第１長孔１８に係合し、もう一方の端部は、作動カム１５の支持孔１５ｂを貫通してケース中間板９ｄに設けた第２長孔１９に係合している。また、前記ローラ部材１６ａを保持している第３軸部材２０の一方の端部は、ケース上板９ｃに設けた第３長孔２１に係合し、もう一方の端部は、ケース中間板９ｄに設けた第４長孔２２に係合している。
【００１４】
このことから、図７に示すように、押し引きハンドル５を中立位置Ａから一方の揺動端位置Ｂに揺動すると、カム体１１の突起部１１ｂを介して作動カム１５が揺動し、作動カム１５の揺動により第２軸部材１７が第１，２長孔１８，１９に沿って扉３の戸先方向に向けて移動する。これにより、押し出し部材１６は第３，４長孔２１，２２に沿って扉３の戸先方向に移動する。次に、図８に示すように、押し引きハンドル５を中立位置Ａから他方の揺動端位置Ｃに揺動すると、カム体１１の突起部１１ｂを介して作動カム１５が揺動し、作動カム１５の揺動により第２軸部材１７が第１，２長孔１８，１９に沿って扉３の吊元方向に向けて移動する。そして、押し出し部材１６は第３，４長孔２１，２２に沿って扉３の吊元方向に移動する。尚、本実施形態では、押し出し部材１６の扉３の戸先方向への移動量を、ローラ部材１６ａ側面が扉３の端面３ａと略同一位置となるように設定してある。
【００１５】
上記のように構成されたラッチ機構４を備えた扉３の閉鎖装置１の動作について説明する。扉３が扉枠２から開放されている時には、竪枠２ａのフック部材６はバネ部材８によって先端６ａが扉３側に突出している。扉３に設けた押し引きハンドル５は、プランジャ１３ｂによって中立位置Ａに保持されている。また、係合部材７は、通常の係止位置Ｐ１にある。この状態において、扉３を閉鎖回転させる。図９に示すように、扉３が閉鎖位置に近づくと、扉３の端面３ａ及び押し出し部材１６のローラ部材１６ａによって、フック部材６が竪枠２ａ内側に押し付けられる。その後、図３に示すように、扉３が閉鎖位置に移動すると、押し付けられていたフック部材６がバネ部材８によって扉３側に突出し、フック部材６の先端６ａが係合部材７の係合部７ａに係合することで、扉３の通常閉鎖が行われる。また、従来のラッチボルトが受金に摺動しながら係合する時に発生する音に比べて、係合部材７がフック部材６を押し付けながら係合する時に発生する音が小さいものとなる。
【００１６】
先ず、扉３の通常閉鎖状態から扉３を開放させる場合について説明する。図１０に示すように、中立位置Ａにある押し引きハンドル５を一方の揺動端位置Ｂに揺動することで、カム体１１を回動させる。カム体１１の回動により、作動カム１５を介して押し出し部材１６が扉３の戸先方向に移動する。すると、押し出し部材１６に備えたローラ部材１６ａによって、フック部材６が竪枠２ａ内側に押し付けられ、フック部材６と係合部材７との係合が解除される。また、カム体１１が回動しても動作カム１２と係合部材７とが係合せず、通常の係止位置Ｐ１にある係合部材７は回動しない。その後、一方の揺動端位置Ｂにある押し引きハンドル５を、扉３の開扉方向に引く（押す）ことで、扉３を開放させることができる。尚、フック部材６と係合部材７との係合を解除した後、押し引きハンドル５を中立位置Ａに戻し、その状態で扉３を引く（押す）ことを行ってもよい。
【００１７】
次に、扉３の通常閉鎖状態から扉３を扉枠２に押し付ける場合について説明する。図１１に示すように、中立位置Ａにある押し引きハンドル５を他方の揺動端位置Ｃに揺動することで、カム体１１を回動させる。カム体１１の回動により、作動カム１５を介して押し出し部材１６が扉３の吊元方向に移動する。そして、カム体１１の回動により、動作カム１２と係合部材７とが係合して、扉３を扉枠２に設けたパッキン部材２３に押し付けるように、係合部材７をフック部材６に対して回転移動させる。係合部材７はプランジャ１３ａによってその位置Ｐ２に保持されるので、扉３を扉枠２に押付状態とすることができる。従って、ハンドルを回転させることが困難な者であっても、押し引きハンドル５を揺動（押し引き）することで、通常閉鎖の扉３を開放させることや、通常閉鎖の扉３を扉枠２に押付状態とすることが可能となる。
【００１８】
次に、別の実施形態について説明する。図１２に示す扉３の閉鎖装置１は、上記と同様に、ラッチ機構３０を、扉３に設けた押し引きハンドル５を操作することにより解除し、また、その押し引きハンドル５の操作により前記ラッチ機構３０を介して扉３を扉枠２に押付状態とするものである。ラッチ機構３０は、扉３の戸先部分の上部に設けてあり、扉枠２（上枠２ｂ）に回動自在に支持されたフック部材３１と、扉３の戸先上部に回動可能に設けられた係合部材３２とから成り、扉３の通常閉鎖により係合部材３２がフック部材３１と係合するようになっている。
【００１９】
上枠２ｂに回動自在に支持されたフック部材３１の先端３１ａが扉３側（下側）に突出し、かつ、扉３の開扉方向にバネ部材３３によって付勢されている。扉３の戸先部分の上下方向中間に取り付けられたケース３４の下板３４ａには、前記フック部材３１の回動軸線と直角に支持軸３５が設けられている。その支持軸３５に押し引きハンドル５を取り付けるカム体３６が揺動自在に支持されている。その揺動自在のカム体３６を介して押し引きハンドル５は、支持軸３５を揺動中心として中立位置Ａとその両側で所定角度揺動した２つの揺動端位置Ｂ，Ｃとに揺動する。カム体３６の上面には位置決め部材３７が設置してある。その位置決め部材３７には複数の切欠溝３７ａ，３７ｂが形成してある。そして、ケース３４にはプランジャ３８が取り付けてあり、前記一方の溝３７ａに嵌まり込むと、カム体３６を介して押し引きハンドル５が中立位置Ａに弾性的に保持される｛図１５（ａ）｝。もう一方の溝３７ｂに嵌まり込むと、カム体３６を介して押し引きハンドル５が他方の揺動端位置Ｃに弾性的に保持される｛図１５（ｃ）｝。
【００２０】
ケース３４には軸部材３９が回動自在に配置されており、軸部材３９の下端部には溝３９ａが形成されている。その溝３９ａに係合する動作カム４０がカム体３６の上部に設けられている。押し引きハンドル５を中立位置Ａから一方の揺動端位置Ｂに揺動させた場合では、動作カム４０によって軸部材２８は回転する｛図１５（ｂ）｝。次に、押し引きハンドル５を中立位置Ａから他方の揺動端位置Ｃに揺動させた場合では、動作カム４０によって軸部材３９は前記と逆方向に回転する｛図１５（ｃ）｝。この軸部材３９の先端には係合部材３２が取り付けてある。このことにより、押し引きハンドル５の操作により、係合部材３２をフック部材３１の回動軸線と直交する軸線回りに回動させることができる。
【００２１】
図１７に示すように、係合部材３２のフック側面には、フック部材３１と係脱する係合部３２ａと、押し引きハンドル５の操作で係合部材３２が回転した時にフック部材３１を押し出してフック部材３１と係合部材３２との係合を解除する解除部分３２ｂと、フック部材３１と係合部３２ａとの係合状態において押し引きハンドル５の操作で係合部材３２が前記と逆に回転した時に、フック部材３１を介して扉３を上枠２ｂに押し付ける押し付け面３２ｃとを備えている。前記係合部材３２と軸部材３９との取り付け位置関係は、押し引きハンドル５が一方の揺動端位置Ｂに揺動する場合には、係合部材３２が回転して解除部分３２ｂがフック部材３１を押し出す押し出し角度位置Ｄに揺動するようにしてあり、押し引きハンドル５が他方の揺動端位置Ｃに揺動する場合には、係合部材３２が回転して押し付け面３２ｃがフック部材３１を介して扉３を上枠２ｂに押し付ける押し付け角度位置Ｅに揺動するようにしてある。
【００２２】
前記ラッチ機構３０を備えた扉３の閉鎖装置１の動作について説明する。扉３が扉枠２から開放されている時には、上枠２ｂのフック部材３１はバネ部材３３によって先端３１ａが扉３側に突出している。扉３に設けた押し引きハンドル５は、プランジャ３８によって中立位置Ａに保持されている。この状態において、扉３を閉鎖回転させる。図１８に示すように、扉３が閉鎖位置に近づくと、扉３の端面３ｂ及び係合部材３２によって、フック部材３１が上枠２ｂ内側に押し上げられる。その後、図１６に示すように、扉３が閉鎖位置に移動すると、押し上げられていたフック部材３１がバネ部材３３によって扉３側（下側）に突出し、フック部材３１の先端３１ａが係合部材３２の係合部３２ａに係合することで、扉３の通常閉鎖が行われる。
【００２３】
先ず、扉３の通常閉鎖状態から扉３を開放させる場合について説明する。図１９に示すように、中立位置Ａにある押し引きハンドル５を一方の揺動端位置Ｂに揺動することで、カム体３６を回動させる。カム体３６の回動により、軸部材３９を介して係合部材３２を押し出し角度位置Ｄに回転させる。すると、係合部材３２の解除部分３２ｂによってフック部材３１が上枠２ｂに向けて押し上げられ、フック部材３１と係合部材３２との係合が解除される。その後、一方の揺動端位置Ｂにある押し引きハンドル５を、扉３の開扉方向に引く（押す）ことで、扉３を開放させることができる。
【００２４】
次に、扉３の通常閉鎖状態から扉３を扉枠２に押し付ける場合について説明する。図２１に示すように、中立位置Ａにある押し引きハンドル５を他方の揺動端位置Ｃに揺動することで、カム体３６を回動させる。カム体３６の回動により、軸部材３９を介して係合部材３２を押し付け角度位置Ｅに回転させる。すると、係合部材３２が、扉３を扉枠２に設けたパッキン部材２３を押し付けるようにフック部材３１に対して移動する。係合部材３２はプランジャ３８によってその位置Ｅに保持されるので、扉３を扉枠２に押付状態とすることができる。従って、ハンドルを回転させることが困難な者であっても、押し引きハンドル５を揺動（押し引き）することで、通常閉鎖の扉３を開放させることや、通常閉鎖の扉３を扉枠２に押付状態とすることが可能となる。尚、ラッチ機構３０を扉３の戸先部分の上部に設けた扉３の閉鎖装置１について説明したが、ラッチ機構３０を扉３の戸先部分の下部に設けてもよい。また、ラッチ機構３０を扉３の戸先部分の上下部に夫々設けることで、１個所で扉３を扉枠２に押し付けることより押付力が増すことになる。更に、上述した実施形態のラッチ機構４を組み込むことで、扉３を扉枠２に押し付ける押付力がより増すことになる。
【００２５】
【発明の効果】
以上のように本願では、扉に設けた押し引きハンドルの操作により、扉のラッチの開放と、ラッチを介して扉を扉枠に押し付ける動作を行うことができ、従来のように、ドアノブを握ってこれらの動作を行うものと比較して、握力の劣る老人等にとって、非常に操作しやすいという利点がある。
【図面の簡単な説明】
【図１】本発明の閉鎖装置を備えた扉枠に開閉自在に蝶着された扉である。
【図２】図１のＰ部の詳細図である。
【図３】図２のＩＩＩ−ＩＩＩ線断面図である。
【図４】図２のＩＶ−ＩＶ線断面図である。
【図５】図２のＶ−Ｖ線断面図である。
【図６】押し引きハンドル（カム体）と係合部材及び押し出し部材との関係を示す図である。
【図７】押し引きハンドル（カム体）と係合部材及び押し出し部材との関係を示す図である。
【図８】押し引きハンドル（カム体）と係合部材及び押し出し部材との関係を示す図である。
【図９】扉を閉鎖回転させた状態を示す図である。
【図１０】通常閉鎖状態から扉を開放させる状態を示す図である。
【図１１】通常閉鎖状態から扉を扉枠に押し付ける状態を示す図である。
【図１２】別の実施形態を示す図である。
【図１３】図１２のＱ部の詳細図である。
【図１４】図１３のＸＩＶ―ＸＩＶ線断面図である。
【図１５】押し引きハンドル（カム体）と軸部材との関係を示す図である。
【図１６】図１２のＸＶＩ−ＸＶＩ線断面図である。
【図１７】図１６のＸＶＩＩ−ＸＶＩＩ線断面図である。
【図１８】扉を閉鎖回転させた状態を示す図である。
【図１９】通常閉鎖状態から扉を開放させる状態を示す図である。
【図２０】図１９のＸＸ−ＸＸ線断面図である。
【図２１】通常閉鎖状態から扉を扉枠に押し付ける状態を示す図である。
【図２２】図２１のＸＸＩＩ−ＸＸＩＩ線断面図である。
【符号の説明】
１　　閉鎖装置
２　　扉枠
３　　扉
４，３０　ラッチ機構
５　　押し引きハンドル
６，３１　フック部材
６ａ，３１ａ　先端
７，３２　係合部材
７ａ，３２ａ　係合部
１０　　支持軸
１１　　カム体
１２　　動作カム
１６　　押し出し部材
３２ｂ　解除部分
３２ｃ　押し付け面
Ａ　　中立位置
Ｂ　　一方の揺動端位置
Ｃ　　他方の揺動端位置
Ｄ　　押し出し角度位置
Ｅ　　押し付け角度位置
【図１】
2004019190.tif 000003
【図２】
2004019190.tif 000004
【図３】
2004019190.tif 000005
【図４】
2004019190.tif 000006
【図５】
2004019190.tif 000007
【図６】
2004019190.tif 000008
【図７】
2004019190.tif 000009
【図８】
2004019190.tif 000010
【図９】
2004019190.tif 000011
【図１０】
2004019190.tif 000012
【図１１】
2004019190.tif 000013
【図１２】
2004019190.tif 000014
【図１３】
2004019190.tif 000015
【図１４】
2004019190.tif 000016
【図１５】
2004019190.tif 000017
【図１６】
2004019190.tif 000018
【図１７】
2004019190.tif 000019
【図１８】
2004019190.tif 000020
【図１９】
2004019190.tif 000021
【図２０】
2004019190.tif 000022
【図２１】
2004019190.tif 000023
【図２２】
2004019190.tif 000024